【手続補正書】
【提出日】平成16年12月21日(2004.12.21)
【手続補正１】
【補正対象書類名】明細書
【補正対象項目名】発明の名称
【補正方法】変更
【補正の内容】
【発明の名称】ディジタルコンテンツ作成システム、及びディジタルコンテンツ作成プログラム、並びにディジタルコンテンツ作成方法
【手続補正２】
【補正対象書類名】明細書
【補正対象項目名】特許請求の範囲
【補正方法】変更
【補正の内容】
【特許請求の範囲】
【請求項１】
選択されたコンテンツデータを用いて出力レイアウトを決定しディジタルコンテンツを作成するコンテンツ作成手段を備え、前記コンテンツ作成手段は、前記コンテンツデータを構成する文書情報を、レイアウト領域に配置された文書情報格納枠に格納することにより前記ディジタルコンテンツを作成するシステムであって、
前記コンテンツ作成手段は、複数の形態素からなる重要語句を記憶する重要語句記憶手段が利用可能となった場合に、前記重要語句記憶手段の重要語句が前記文書情報に含まれているとき、又は前記重要語句記憶手段の重要語句を構成する各形態素をその順で断片的に含む準重要語句が前記文書情報に含まれているときは、前記文書情報格納枠内の文書のうち当該重要語句又は当該準重要語句について整形又は修飾を行うようになっていることを特徴とするディジタルコンテンツ作成システム。
【請求項２】
コンテンツデータを記憶するコンテンツデータ記憶手段と、前記コンテンツデータ記憶手段のなかから前記コンテンツデータを選択するコンテンツデータ選択手段と、前記コンテンツデータ選択手段で選択したコンテンツデータを用いて出力レイアウトを決定しディジタルコンテンツを作成するコンテンツ作成手段とを備え、前記コンテンツ作成手段は、前記コンテンツデータを構成する文書情報を、レイアウト領域に配置された文書情報格納枠に格納することにより前記ディジタルコンテンツを作成するシステムであって、
複数の形態素からなる重要語句を記憶する重要語句記憶手段を備え、
前記コンテンツ作成手段は、前記重要語句記憶手段の重要語句が前記文書情報に含まれているとき、又は前記重要語句記憶手段の重要語句を構成する各形態素をその順で断片的に含む準重要語句が前記文書情報に含まれているときは、前記文書情報格納枠内の文書のうち当該重要語句又は当該準重要語句について整形又は修飾を行うようになっていることを特徴とするディジタルコンテンツ作成システム。
【請求項３】
請求項２において、
前記コンテンツ作成手段は、前記重要語句又は前記準重要語句が前記文書情報に含まれているときは、前記文書情報格納枠において前記重要語句内又は前記準重要語句内での改行を禁止するようになっていることを特徴とするディジタルコンテンツ作成システム。
【請求項４】
請求項３において、
前記コンテンツ作成手段は、前記文書情報について形態素解析を行い、その解析結果に基づいて各形態素の末尾を改行候補位置として設定し、前記改行候補位置のいずれかで改行を行うようになっており、
前記重要語句又は前記準重要語句が前記文書情報に含まれているときは、前記重要語句内又は前記準重要語句内に設定されている改行候補位置についてその設定を解除するようになっていることを特徴とするディジタルコンテンツ作成システム。
【請求項５】
請求項２乃至４のいずれかにおいて、
前記文書情報格納枠の格納文字数に対して影響を及ぼすことがあるパラメータについてその値の変更許容範囲が設定可能であり、
前記コンテンツ作成手段は、前記パラメータのうち前記変更許容範囲が設定された特定パラメータの値をその変更許容範囲内で変更して前記文書情報格納枠の格納文字数を調整するようになっていることを特徴とするディジタルコンテンツ作成システム。
【請求項６】
請求項５において、
複数の前記パラメータについて前記変更許容範囲がそれぞれ設定可能であり、
前記コンテンツ作成手段は、前記パラメータの変更のうち許容されるすべての変更のなかで前記文書情報格納枠の格納文字数が最大となるときの当該格納文字数を限度として、前記文書情報格納枠に前記文書情報が可能な限り格納できるように、前記複数の特定パラメータのうち値を保持すべき重要度が低いパラメータほど優先的にその値をその変更許容範囲内で変更するようになっていることを特徴とするディジタルコンテンツ作成システム。
【請求項７】
請求項６において、
前記複数の特定パラメータのうちの一つには、前記文書情報格納枠のフォントサイズの設定に関するフォントパラメータを含み、
前記フォントパラメータの変更許容範囲として下限値を設定しておくことを特徴とするディジタルコンテンツ作成システム。
【請求項８】
請求項７において、
前記複数の特定パラメータのうちの一つには、前記文書情報格納枠の行数又は１行当たりの文字数の設定に関する文字間隔パラメータを含み、
前記文字間隔パラメータの変更許容範囲として上限値を設定しておくことを特徴とするディジタルコンテンツ作成システム。
【請求項９】
請求項６において、
前記複数の特定パラメータのうちの一つには、前記文書情報格納枠の行数又は１行当たりの文字数の設定に関する文字間隔パラメータを含み、
前記文字間隔パラメータの変更許容範囲として上限値を設定しておくことを特徴とするディジタルコンテンツ作成システム。
【請求項１０】
請求項８において、
前記フォントパラメータを、前記文字間隔パラメータよりも前記重要度が低いパラメータとして指定しておくことを特徴とするディジタルコンテンツ作成システム。
【請求項１１】
請求項１０において、
前記コンテンツ作成手段は、前記フォントパラメータについてその変更許容範囲内で取り得るいかなる変更によっても前記文書情報格納枠に前記文書情報が格納できないときは、前記文字間隔パラメータの値を所定値上げて、前記フォントパラメータの値を変更するようになっていることを特徴とするディジタルコンテンツ作成システム。
【請求項１２】
請求項８において、
前記文字間隔パラメータを、前記フォントパラメータよりも前記重要度が低いパラメータとして指定しておくことを特徴とするディジタルコンテンツ作成システム。
【請求項１３】
請求項１２において、
前記コンテンツ作成手段は、前記文字間隔パラメータについてその変更許容範囲内で取り得るいかなる変更によっても前記文書情報格納枠に前記文書情報が格納できないときは、前記フォントパラメータの値を所定値下げて、前記文字間隔パラメータの値を変更するようになっていることを特徴とするディジタルコンテンツ作成システム。
【請求項１４】
コンピュータシステムからなる請求項１記載のディジタルコンテンツ作成システムに、前記コンテンツ作成手段として実現される処理を実行させるためのプログラムであって、
前記コンテンツ作成手段は、複数の形態素からなる重要語句を記憶する重要語句記憶手段が利用可能となった場合に、前記重要語句記憶手段の重要語句が前記文書情報に含まれているとき、又は前記重要語句記憶手段の重要語句を構成する各形態素をその順で断片的に含む準重要語句が前記文書情報に含まれているときは、前記文書情報格納枠内の文書のうち当該重要語句又は当該準重要語句について整形又は修飾を行う処理を実行させるためのプログラムであることを特徴とするディジタルコンテンツ作成プログラム。
【請求項１５】
選択されたコンテンツデータを用いて出力レイアウトを決定しディジタルコンテンツを作成するコンテンツ作成ステップを含み、前記コンテンツ作成ステップは、前記コンテンツデータを構成する文書情報を、レイアウト領域に配置された文書情報格納枠に格納することにより前記ディジタルコンテンツを作成する方法であって、
前記コンテンツ作成ステップは、複数の形態素からなる重要語句を記憶する重要語句記憶手段が利用可能となった場合に、前記重要語句記憶手段の重要語句が前記文書情報に含まれているとき、又は前記重要語句記憶手段の重要語句を構成する各形態素をその順で断片的に含む準重要語句が前記文書情報に含まれているときは、前記文書情報格納枠内の文書のうち当該重要語句又は当該準重要語句について整形又は修飾を行うことを特徴とするディジタルコンテンツ作成方法。